(57)【要約】　　　（修正有）【課題】飲食店等が紙コップの経費を節約できるし、広告効果も高く、パーティーの目的に添った表示がなされることで目的を効果的に演出できる紙コップを提供する。【解決手段】プラスチック製または紙製のコップ１であって、その外面２および／または内面３に広告情報４および／または必要情報７が表示されている。広告情報は、公共広告および観光広告も含み、必要情報はパーティーの目的に添ったことばも含む。【選択図】　　図１
0003098877.tif 000002
【実用新案登録請求の範囲】
【請求項１】
プラスチック製または紙製のコップであって、その外面および／または内面に広告情報および／または必要情報が表示されていることを特徴とするコップ。
【請求項２】
前記広告情報は、公共広告および観光広告も含むことを特徴とする請求項１記載のコップ。
【請求項３】
前記必要情報は、パーティーの目的に添ったことばを含むことを特徴とする請求項１記載のコップ。
【請求項４】
前記広告情報および／または必要情報は、絵文字と絵柄および／または写真と共に表示されることを特徴とする請求項１乃至３のいずれかに記載のコップ。
【請求項５】
前記広告情報および／または必要情報の全部または一部が、発光手段で表示されていることを特徴とする請求項１乃至４のいずれかに記載のコップ。
【請求項６】
前記コップは、抗菌性であることを特徴とする請求項１乃至５のいずれかに記載のコップ。
【請求項７】
前記コップは、澱粉繊維質で形成されていることを特徴とする請求項１乃至６のいずれかに記載のコップ。
【請求項８】
前記コップには、くじが設けられていることを特徴とする請求項１乃至７のいずれかに記載のコップ。
【考案の詳細な説明】
【０００１】
【考案の属する技術分野】
この考案は、広告情報や必要情報が表示されているプラスチック製または紙製のコップ（以下、紙コップと称す）に関する。
【０００２】
【従来の技術】
従来、広告用コップとして、底面に広告表示した底皿を、コップの底部に着脱自在としたものが提供されている（特許文献１参照）。
また、コップの表面と内面に模様を重着し該模様の輪郭に夜光塗料を塗布したコップが提供されている（特許文献２参照）。
しかし、飲食店、航空機内サービス、各種パーティー等（以下、単に飲食点等という）で使用される紙コップは、何の表示もないのが通常であり、あったとしても絵柄のみが表示されているか、使用する飲食店等の名称が表示されているだけである。特に、パーティーで使用される紙コップは、ほとんどが何も表示されていない。
【０００３】
【特許文献１】
実開昭５０−６７７９５号公報
【特許文献２】
実公昭３６−２８４３４号公報
【０００４】
【考案が解決しようとする課題】
しかしながら、紙コップは飲食店等で使い捨ての消耗品として使用されるため経費が嵩むという課題がある。そこで、使用する飲食店等以外のスポンサーの広告表示を掲載し、スポンサーが制作費を負担することで、飲食店等は、経費を節約することができる。ところが、従来の前記コップでは、このような要請に応えるには不向きである。
【０００５】
また、結婚祝、合格祝および当選祝等の慶事のパーティーで使用する紙コップには、「祝御結婚」、「祝合格」、「祝当選」、また、決起パーティーでは「祈合格」、「祈当選」、「祈必勝」、「祈目標（予算）必達」などの絵文字の表示された紙コップを使用すると趣向性に富み好ましいが、従来の前記コップでは、この要請にも対応できない。また、前記したような表示を施した紙コップも未だ提供されていない。
この考案は、このような点に鑑み前記要請に応える紙コップの提供を目的とする。
【０００６】
【課題を解決するための手段】
前記課題を解決するため、この考案のコップは、プラスチック製または紙製のコップであって、その外面および／または内面に広告情報および／または必要情報が表示されていることを特徴とする。
これにより飲食店等以外のスポンサーの広告情報を、他の必要情報と共に表示することで、スポンサーに制作費の全部または一部を負担させることができる。必要情報としては、パーティー等で目的に添った「祝御結婚」、「祝合格」、「祝当選」、「祈合格」、「祈当選」、「祈必勝」等の表示を例示できる。また、表示手段としては、印刷、シール、ラベル及びステッカーなどを例示できる。
【０００７】
また、この考案のコップは、前記広告情報は公共広告および観光広告も含む。公共広告としては、「○月○日は△△選挙の投票日、必ず投票にいきましょう！」、「タバコのポイ捨てはやめよう！」「ポリオ撲滅キャンペーン」等を例示できる。これにより公共広告の宣伝になる。
また、観光広告としては、観光写真や宣伝文を例示でき、これにより観光宣伝になるし、観光みやげ品にもなる。
【０００８】
また、この考案のコップは、前記必要情報は、パーティーの目的に添ったことばを含む。
パーティーの目的に添ったことばとは、例えば、結婚祝のパーティーでは「祝御結婚」、合格祝のパーティーでは「祝合格」、当選祝のパーティーでは「祝当選」、決起パーティーでは目的に添った「祈合格」、「祈当選」、「祈必勝」などのことばを指す。これによりパーティーで目的を効果的に演出できる。
【０００９】
また、この考案のコップは、前記広告情報および／または必要情報は、絵文字と絵柄および／または写真と共に表示されることを特徴とする。
これによりアッピールを効果的に行うことができる。
【００１０】
また、この考案のコップは、前記広告情報および／または必要情報の全部または一部が、発光手段で表示されていることを特徴とする。
発光手段としては、蛍光塗料や蓄光塗料を例示できる。これにより夜間使用時にも広告効果がよくなるし、所在が明確になる。また、ペンライトのようにも活用できるし、発光手段で表示するとドライバーの交通安全キャンペーンのノベルティには最適となる。
【００１１】
また、この考案のコップは、前記コップは、抗菌性であることを特徴とする。これにより衛生的となる。
さらに、この考案のコップは、澱粉繊維質で形成されていることを特徴とする。これにより廃棄処分しても自然に優しいものとなり、公害の心配もない。
また、この考案のコップは、くじが設けられていることを特徴とする。これにより自動販売機からでてくるコップに広告情報や絵柄等が例示されたり、「くじ」により「当り」がでれば賞品がもらえるようにして販売促進を図ることもできる。
【００１２】
【考案の実施の形態】
以下、この考案を図面に示すよう実施の形態について詳細に説明する。
図１は、この考案の実施の形態を示すコップの斜視図である。このコップ１は、プラスチックまたは紙で形成され（以下、これを紙コップと称す）、その表面２にこの紙コップ１を使用する飲食店等以外のスポンサーの名称５および宣伝文６の広告情報４、必要情報７が表示されている。本例ではこの紙コップ１を結婚祝のパーティーで使用するので、必要情報７として「祝御結婚」の表示および絵柄８として結婚する２人の写真の表示がなされている。広告情報４および必要情報７などの表示手段は特に制限がないが、印刷、シール、ラベル及びステッカーなどを例示できる。
【００１３】
従って、飲食店等では飲食する来店客、本例ではパーティーへの出席者は、この紙コップ１の広告情報４が目に止まり宣伝効果を発揮するし、「祝御結婚」の必要情報７および結婚する２人の写真８がパーティーの目的を効果的に演出する。特に、広告情報４は紙コップ１を手に持って飲食するとき、およびテーブルに載置したとき、のいずれも目に止まるため広告効果は高い。また、広告情報４を絵文字で表示すると共に、図示しないが紙コップ１の表面２に絵柄を表示すると趣向が向上すると共に、目に止まりやすくなり広告効果も一層向上するので好ましい。
一方、飲食店等では広告情報４を掲載したスポンサーが制作費を負担することで紙コップにかかる経費を節約することができる。
また、結婚する２人の写真８を表示すると結婚式の引出物にも使用できる。
【００１４】
前記広告情報４および必要情報７は、紙コップ１の内面３に表示してもよい。図２はこの考案の他の実施の形態のコップを示す一部破断斜視図である。本例は広告情報４および必要情報７を紙コップ１の内面３に表示した場合であり、必要情報７の表示は「祈合格」なので、試験に臨む決起パーティー用のものとなる。他は前記実施の形態と同様なので同一構成要素には同一符号を付して詳細な説明は省略する。
広告情報４および必要情報７の表示としては、紙コップ１の外面２でも、内面３でも、または外面２と内面３の両方でも、いずれでもよい。
【００１５】
図３はこの考案の更に他の実施の形態のコップを示す斜視図である。本例は広告情報４が公共広告情報の場合である。本例ではこの紙コップ１を選挙投票の促進に使用する場合であり、広告情報４としての公共広告情報６として「○月○日は△△選挙の投票日、必ず投票しましょう！」、の表示がなされていると共に、絵柄８が表示されている。本例は選挙投票の促進に関する広告なのでスポンサー名５としては選挙管理委員会となる。他は前記実施の形態と同様であるので同一構成要素には同一符号を付して詳細な説明は省略する。
公共広告情報としては、他に「タバコのポイ捨てはやめよう！」「ポリオ撲滅キャンペーン」等を例示できる。
【００１６】
図４はこの考案のまた更に他の実施の形態のコップを示す斜視図である。本例は結婚祝のパーティーに使用するものであるが、必要情報７としての表示が「結婚おめでとう」であり、絵柄８がちがう点で前記図１に示す実施の形態と異なるものであり、他は図１に示す実施の形態と同様であるので同一構成要素には同一符号を付して他の詳細な説明は省略する。
【００１７】
なお、広告情報４や必要情報７に制限はなく、前記実施の形態は一例である。例えば、紙コップ１に絵柄８としての観光写真および観光宣伝文を表示することで観光の宣伝用として使用できるし、観光写真だけの表示でおみやげ品となる。また、目的にあった表示とすることで縁起物ツール、贈答品（引き出物・ノベルティ品）にもなる。
【００１８】
また、紙コップ１の表面２に発光手段を施したり、広告情報４、必要情報７および絵柄８等を発光手段で表示してもよい。発光手段としては蛍光塗料や蓄光塗料を例示できる。このようにすると夜間でも広告効果が高くなるし、所在の確認が容易となる。また、ペンライトのように演出用道具として活用してもよい。特に、発光手段が施されたものは、ドライバーの交通安全キャンペーンのノベルティにも好ましい。
【００１９】
また、紙コップ１は抗菌性としてもよく、この場合は衛生的となる。抗菌性の加工は従来公知の手段を採用し得る。
さらに、コップが紙製の場合には、燃焼が可能であり公害の問題もないが、紙コップを澱粉などの繊維質のものを使用すると自然に優しく好ましい。
また、コップを○○が当る「おみくじコップ」、「縁起コップ」、「お楽しみコップ」とすることによって自動販売機からでてくるコップに広告情報および必要情報等が表示されて広告宣伝にもなると共に、当りコップ（くじ）がでれば賞品がもらえるようになり楽しく販売促進にもなる。
なお、前記実施の形態は、この考案を制限するものではなく、この考案は要旨を逸脱しない範囲での種々の変形が許容される。
【００２０】
【考案の効果】
以上詳細に説明した通り、この考案のコップによれば、次のような効果を奏する。
（１）飲食店等は、コップの費用を広告のスポンサーが負担することで経費の節約ができる。スポンサーも紙コップであるので負担する費用も少なくて済むし、広告費の割りに宣伝効果が高い。
【００２１】
（２）広告情報の他に目的に添った必要情報を記載することで、目的を効果的に演出できる。
（３）広告情報や必要情報を絵文字にしたり、絵柄を付加することで一層人目に止まりやすくし、広告効果を上げることができる。
【００２２】
（４）コップの表面、広告情報および必要情報等の全部または一部が発光手段で表示されていると、夜間使用時にも広告効果が向上するし、所在も明確になる。
（５）抗菌性だと衛生的であるし、澱粉などの繊維質で形成されると環境に優しくなる。
（６）コップに「くじ」を設けると自動販売機から当りコップがでると賞品がもらえるようになり楽しく販売促進が図れる。
【図面の簡単な説明】
【図１】この考案の実施の形態を示す斜視図である。
【図２】この考案の他の実施の形態を示す斜視図である。
【図３】この考案のまた他の実施の形態を示す斜視図である。
【図４】この考案のまた更に他の実施の形態を示す斜視図である。
【符号の説明】
１　紙コップ
２　表面
３　内面
４　広告情報
５　スポンサーの名称
６　宣伝文
７　必要情報
８　絵柄
【図１】
0003098877.tif 000003
【図２】
0003098877.tif 000004
【図３】
0003098877.tif 000005
【図４】
0003098877.tif 000006